(57)【特許請求の範囲】
【請求項１】
底壁を有し、現像剤を収容する容器本体と、
前記底壁に連なって前記容器本体から突設され、現像剤排出口が備えられた筒状部と、
前記容器本体から前記筒状部に亘って架設され、前記容器本体内の現像剤を搬送する機能を有する回転部材と、を備え、
前記回転部材は、
前記底壁の延びる方向に延在する回転軸と、
前記回転軸の周面上に配置され、前記回転軸と一体回転すると共に、前記筒状部側から前記容器本体側へ向かう第１搬送方向に前記現像剤を搬送する第１搬送部材と、
前記回転軸の周面上であって前記第１搬送部材よりも径方向外側に配置され、前記回転軸と一体回転すると共に、前記容器本体側から前記筒状部側へ向かう第２搬送方向に前記現像剤を搬送する第２搬送部材と、を含み、
前記筒状部は、前記第２搬送部材の径方向における最突出部分の回転軌跡に対応した断面円形状の内壁面を有しており、
前記第１搬送部材は、前記回転軸の周面にスパイラル状に突設された搬送部材であり、
前記第２搬送部材は、前記第１搬送部材を備えた前記回転軸を挿通可能な中空部を備えたスパイラル状の搬送部材であって、
前記第２搬送部材のスパイラルの外径は、前記第２搬送方向に向かうにつれて縮径されている、現像剤収容容器。
【請求項２】
請求項１に記載の現像剤収容容器において、
前記第２搬送部材のスパイラルの内径は、前記回転軸の軸方向全長に亘って略一定である、現像剤収容容器。
【請求項３】
底壁を有し、現像剤を収容する容器本体と、
前記底壁に連なって前記容器本体から突設され、現像剤排出口が備えられた筒状部と、
前記容器本体から前記筒状部に亘って架設され、前記容器本体内の現像剤を搬送する機能を有する回転部材と、を備え、
前記回転部材は、
前記底壁の延びる方向に延在する回転軸と、
前記回転軸の周面上に配置され、前記回転軸と一体回転すると共に、前記筒状部側から前記容器本体側へ向かう第１搬送方向に前記現像剤を搬送する第１搬送部材と、
前記回転軸の周面上であって前記第１搬送部材よりも径方向外側に配置され、前記回転軸と一体回転すると共に、前記容器本体側から前記筒状部側へ向かう第２搬送方向に前記現像剤を搬送する第２搬送部材と、を含み、
前記筒状部は、前記第２搬送部材の径方向における最突出部分の回転軌跡に対応した断面円形状の内壁面を有しており、
前記回転部材は、前記回転軸と平行な方向に延び、搬送される現像剤を径方向外側へ分散させる分散部材をさらに備える、現像剤収容容器。
【請求項４】
請求項１に記載の現像剤収容容器において、
前記回転部材は、前記回転軸と平行な方向に延び、且つ、前記第２搬送部材に取り付けられ、搬送される現像剤を径方向外側へ分散させる分散部材をさらに備え、
前記分散部材は、前記回転軸の径方向に厚みＤ１を有し、
前記第１搬送部材のスパイラルの最外周と前記分散部材の径方向内面との距離Ｄ２は、前記厚みＤ１よりも大きい、現像剤収容容器。
【請求項５】
底壁を有し、現像剤を収容する容器本体と、
前記底壁に連なって前記容器本体から突設され、現像剤排出口が備えられた筒状部と、
前記容器本体から前記筒状部に亘って架設され、前記容器本体内の現像剤を搬送する機能を有する回転部材と、を備え、
前記回転部材は、
前記底壁の延びる方向に延在する回転軸と、
前記回転軸の周面上に配置され、前記回転軸と一体回転すると共に、前記筒状部側から前記容器本体側へ向かう第１搬送方向に前記現像剤を搬送する第１搬送部材と、
前記回転軸の周面上であって前記第１搬送部材よりも径方向外側に配置され、前記回転軸と一体回転すると共に、前記容器本体側から前記筒状部側へ向かう第２搬送方向に前記現像剤を搬送する第２搬送部材と、を含み、
前記筒状部は、前記第２搬送部材の径方向における最突出部分の回転軌跡に対応した断面円形状の内壁面を有しており、
前記現像剤排出口は、前記筒状部の下面に配置された落下口であり、
前記回転軸の前記落下口に対応する位置には、前記回転軸の軸方向と直交する方向に突出する可撓性押圧部材が取り付けられている、現像剤収容容器。
【請求項６】
請求項５に記載の現像剤収容容器において、
前記回転軸は、前記筒状部側の端部に一体的に取り付けられる保持片を含み、
前記可撓性押圧部材がフイルム部材であって、該フイルム部材は前記保持片に取り付けられる基端部と、該基端部と反対側の自由端部とを備え、
前記自由端部の前記軸方向の長さが前記基端部よりも長く、前記自由端部の一部が前記回転軸上に位置している、現像剤収容容器。
【請求項７】
請求項１〜６のいずれか１項に記載の現像剤収容容器において、
前記容器本体の前記底壁は、前記第２搬送部材の径方向における最突出部分の回転軌跡に対応した半円形状の内壁面を有し、該半円形状の内壁面は前記筒状部の円形状の内壁面に連接されており、
前記容器本体は、前記底壁の一端縁から上方に延びる第１側壁と、前記底壁の他端縁から上方に延び前記第１側壁と対向する第２側壁と、前記第１側壁及び第２側壁の一端縁同士を繋ぐ第３側壁と、前記第３側壁と対向し第１側壁及び第２側壁の他端縁同士を繋ぐ第４側壁とを含み、
前記筒状部は、前記第３側壁から突設され、
前記回転軸は第１端部と、該第１端部と反対側の第２端部とを有し、前記第１端部は前記第４側壁において軸支され、前記第２端部は、前記筒状部の突出先端面において軸支されている、現像剤収容容器。
【請求項８】
周面に現像剤像を担持する像担持体と、
前記像担持体の周面に現像剤を供給する現像ローラーを含む現像装置と、
前記現像装置に組み付けられ、前記現像装置に現像剤を補給する、請求項１〜７のいずれか１項に記載の現像剤収容容器と、
を備える画像形成装置。
【請求項９】
請求項８に記載の画像形成装置において、
前記現像装置は、前記現像ローラーの軸方向に沿った第１方向に長い形状の現像ハウジングを備え、
前記現像剤収容容器は、前記回転軸が前記第１方向と直交する第２方向に沿う方向で、前記現像装置に組み付けられている、画像形成装置。
【発明の詳細な説明】
【技術分野】
【０００１】
本発明は、現像剤を貯留する現像剤収容容器、及び該現像剤収容容器が装着された画像形成装置に関する。
【背景技術】
【０００２】
現像剤を用いてシートに画像を形成する画像形成装置においては、トナーコンテナ等の現像剤収容容器が不可欠である。トナーコンテナは、現像装置へ補給するトナー（現像剤）を貯留するコンテナであり、画像形成装置にユーザーが着脱自在な状態で装着される。一般にトナーコンテナは、トナーの貯留空間となるコンテナ本体と、コンテナ本体の底壁の適所に設けられるトナー排出口と、このトナー排出口に向けてトナーを搬送する搬送スクリューと、コンテナ本体内部のトナーを攪拌する攪拌パドルとを備えている（例えば特許文献１参照）。また、上記搬送スクリューを、内側と外側との二重構造とすることも知られている（例えば特許文献２、３参照）。
【先行技術文献】
【特許文献】
【０００３】
【特許文献１】特開２００３−２８７９４８号公報
【特許文献２】特開平５−４６０２１号公報
【特許文献３】特開平５−５３４３８号公報
【発明の概要】
【発明が解決しようとする課題】
【０００４】
トナーコンテナにおいて重要な点は、コンテナ本体内にトナーを可及的に残存させることなく、トナーをトナー排出口から排出できるようにすることである。しかしながら、トナーコンテナの形状は、トナー排出性だけが考慮されて決定されるのではなく、画像形成装置における様々な設計思想に基づき決定される。このため、コンテナの形状によっては、トナーがトナー排出口の近傍で押し固められてしまい、トナーの吐出が阻害されるという問題があった。
【０００５】
本発明は上記問題に鑑みてなされたものであり、容器本体内に貯留された現像剤を残存させることなく排出させることができる現像剤収容容器、及びこれが適用された画像形成装置を提供することを目的とする。
【課題を解決するための手段】
【０００６】
本発明の一局面に係る現像剤収容容器は、底壁を有し、現像剤を収容する容器本体と、前記底壁に連なって前記容器本体から突設され、現像剤排出口が備えられた筒状部と、前記容器本体から前記筒状部に亘って架設され、前記容器本体内の現像剤を搬送する機能を有する回転部材と、を備え、前記回転部材は、前記底壁の延びる方向に延在する回転軸と、前記回転軸の周面上に配置され、前記回転軸と一体回転すると共に、前記筒状部側から前記容器本体側へ向かう第１搬送方向に前記現像剤を搬送する第１搬送部材と、前記回転軸の周面上であって前記第１搬送部材よりも径方向外側に配置され、前記回転軸と一体回転すると共に、前記容器本体側から前記筒状部側へ向かう第２搬送方向に前記現像剤を搬送する第２搬送部材と、を含み、前記筒状部は、前記第２搬送部材の径方向における最突出部分の回転軌跡に対応した断面円形状の内壁面を有しており、前記第１搬送部材は、前記回転軸の周面にスパイラル状に突設された搬送部材であり、前記第２搬送部材は、前記第１搬送部材を備えた前記回転軸を挿通可能な中空部を備えたスパイラル状の搬送部材であって、前記第２搬送部材のスパイラルの外径は、前記第２搬送方向に向かうにつれて縮径されている。
【０００７】
この構成によれば、回転部材の回転に伴う第２搬送部材の搬送機能によって、容器本体から現像剤排出口が備えられた筒状部に向かう第２搬送方向に、現像剤が搬送される。ここで前記筒状部は、前記第２搬送部材の径方向における最突出部分の回転軌跡に対応した断面円形状の内壁面を有しているので、現像剤排出口から吐出されなかった現像剤は行き場がなくなる。しかし、回転部材には、筒状部側から容器本体側へ向かう第１搬送方向に現像剤を搬送する第１搬送部材が備えられているので、余剰な現像剤を筒状部内から容器本体へ戻すことができる。従って、筒状部内で行き場を失った現像剤が押し固められ、凝集化して現像剤排出口が塞がれてしまい、結果として現像剤が吐出できなくなるという不具合を抑止することができる。
【０００９】
また、第２搬送部材のスパイラルの外径が、前記第２搬送方向に向かうにつれて縮径されているので、現像剤を筒状部の先端方向へスムースに向かわせることができる。
【００１０】
この場合、前記第２搬送部材のスパイラルの内径は、前記回転軸の軸方向全長に亘って略一定であることが望ましい。
【００１１】
この構成によれば、内部に位置する第１搬送部材による第１搬送方向へのトナー搬送を阻害することはない。従って、第１搬送部材によって、安定的にトナーを筒状部から容器本体へ戻すことができる。
【００１２】
本発明の他の局面に係る現像剤収容容器は、底壁を有し、現像剤を収容する容器本体と、前記底壁に連なって前記容器本体から突設され、現像剤排出口が備えられた筒状部と、前記容器本体から前記筒状部に亘って架設され、前記容器本体内の現像剤を搬送する機能を有する回転部材と、を備え、前記回転部材は、前記底壁の延びる方向に延在する回転軸と、前記回転軸の周面上に配置され、前記回転軸と一体回転すると共に、前記筒状部側から前記容器本体側へ向かう第１搬送方向に前記現像剤を搬送する第１搬送部材と、前記回転軸の周面上であって前記第１搬送部材よりも径方向外側に配置され、前記回転軸と一体回転すると共に、前記容器本体側から前記筒状部側へ向かう第２搬送方向に前記現像剤を搬送する第２搬送部材と、を含み、前記筒状部は、前記第２搬送部材の径方向における最突出部分の回転軌跡に対応した断面円形状の内壁面を有しており、前記回転部材は、前記回転軸と平行な方向に延び、搬送される現像剤を径方向外側へ分散させる分散部材をさらに備える。
【００１３】
この構成によれば、前記第１搬送部材又は前記第２搬送部材の駆動によって推進力を与えられた現像剤の周囲に存在する現像剤が、分散部材によって径方向外側へ分散されるので、現像剤の前記第１搬送方向又は第２搬送方向への移動を促進することができる。
【００１４】
或いは、上記構成において、前記回転部材は、前記回転軸と平行な方向に延び、且つ、前記第２搬送部材に取り付けられ、搬送される現像剤を径方向外側へ分散させる分散部材をさらに備え、前記分散部材は、前記回転軸の径方向に厚みＤ１を有し、前記第１搬送部材のスパイラルの最外周と前記分散部材の径方向内面との距離Ｄ２は、前記厚みＤ１よりも大きいことが望ましい。
【００１５】
この構成によれば、距離Ｄ２が厚みＤ１よりも大きいので、第１搬送部材のスパイラルの最外周と前記分散部材の径方向内面との間に十分な空間が存在することとなり、第１搬送部材による現像剤の搬送領域が確保される。従って、第１搬送部材による現像剤の第１搬送方向への搬送を確実に行わせることができる。
【００１６】
本発明のさらに他の局面に係る現像剤収容容器は、底壁を有し、現像剤を収容する容器本体と、前記底壁に連なって前記容器本体から突設され、現像剤排出口が備えられた筒状部と、前記容器本体から前記筒状部に亘って架設され、前記容器本体内の現像剤を搬送する機能を有する回転部材と、を備え、前記回転部材は、前記底壁の延びる方向に延在する回転軸と、前記回転軸の周面上に配置され、前記回転軸と一体回転すると共に、前記筒状部側から前記容器本体側へ向かう第１搬送方向に前記現像剤を搬送する第１搬送部材と、前記回転軸の周面上であって前記第１搬送部材よりも径方向外側に配置され、前記回転軸と一体回転すると共に、前記容器本体側から前記筒状部側へ向かう第２搬送方向に前記現像剤を搬送する第２搬送部材と、を含み、前記筒状部は、前記第２搬送部材の径方向における最突出部分の回転軌跡に対応した断面円形状の内壁面を有しており、前記現像剤排出口は、前記筒状部の下面に配置された落下口であり、前記回転軸の前記落下口に対応する位置には、前記回転軸の軸方向と直交する方向に突出する可撓性押圧部材が取り付けられている。
【００１７】
この構成によれば、筒状部の落下口付近まで搬送された現像剤は、可撓性押圧部材によって前記落下口へ向けて押圧乃至は攪拌されることになる。従って、筒状部の狭小な空間において前記落下口近傍で現像剤を流動化させると共に、落下口から現像剤を良好に吐出させることができる。
【００１８】
この場合、前記回転軸は、前記筒状部側の端部に一体的に取り付けられる保持片を含み、前記可撓性押圧部材がフイルム部材であって、該フイルム部材は前記保持片に取り付けられる基端部と、該基端部と反対側の自由端部とを備え、前記自由端部の前記軸方向の長さが前記基端部よりも長く、前記自由端部の一部が前記回転軸上に位置していることが望ましい。
【００１９】
この構成によれば、フイルム部材の自由端部の一部が回転軸上に位置しているので、回転軸の端部付近に前記第１搬送部材又は前記第２搬送部材が存在していなくとも、前記自由端部の一部によって現像剤に押圧力を付与でき、現像剤を流動させることができる。
【００２０】
上記構成において、前記容器本体の前記底壁は、前記第２搬送部材の径方向における最突出部分の回転軌跡に対応した半円形状の内壁面を有し、該半円形状の内壁面は前記筒状部の円形状の内壁面に連接されており、前記容器本体は、前記底壁の一端縁から上方に延びる第１側壁と、前記底壁の他端縁から上方に延び前記第１側壁と対向する第２側壁と、前記第１側壁及び第２側壁の一端縁同士を繋ぐ第３側壁と、前記第３側壁と対向し第１側壁及び第２側壁の他端縁同士を繋ぐ第４側壁とを含み、前記筒状部は、前記第３側壁から突設され、前記回転軸は第１端部と、該第１端部と反対側の第２端部とを有し、前記第１端部は前記第４側壁において軸支され、前記第２端部は、前記筒状部の突出先端面において軸支されている構成とすることができる。
【００２１】
この構成によれば、容器本体の半円形状の底壁上の全ての領域が、回転部材による現像剤の搬送領域となる。従って、底壁上の現像剤は回転部材によって効率的に筒状部へ搬送され、底壁にトナーが残存し難くすることができる。また、回転部材に向けて現像剤を送る攪拌パドル等を容器本体内に設置する必要が無く、構成をシンプル化できる。
【００２２】
本発明の他の局面に係る画像形成装置は、周面に現像剤像を担持する像担持体と、前記像担持体の周面に現像剤を供給する現像ローラーを含む現像装置と、前記現像装置に組み付けられ、前記現像装置に現像剤を補給する、上述の現像剤収容容器と、を備える。
【００２３】
この場合、前記現像装置は、前記現像ローラーの軸方向に沿った第１方向に長い形状の現像ハウジングを備え、前記現像剤収容容器は、前記回転軸が前記第１方向と直交する第２方向に沿う方向で、前記現像装置に組み付けられていることが望ましい。
【００２４】
この構成によれば、画像形成装置内において、現像装置の直上にトナーコンテナを配置するレイアウトを取る必要がないので、トナーコンテナの配置位置の自由度を向上させることができる。
【発明の効果】
【００２５】
本発明によれば、容器本体と、この容器本体から突設され現像剤排出口を有する筒状部とを備えた現像剤収容容器において、筒状部において現像剤が凝集することを抑止できる。従って、容器本体内に貯留された現像剤を残存させることなく排出させ得る現像剤収容容器、及びこれが適用された画像形成装置を提供することができる。
【図面の簡単な説明】
【００２６】
【図１】本発明の一実施形態に係る画像形成装置の内部構造を示す断面図である。
【図２】前記画像形成装置に組み込まれている現像装置及びトナーコンテナを示す平面図である。
【図３】図２に示す現像装置及びトナーコンテナの斜視図である。
【図４】現像装置単体の斜視図である。
【図５】現像装置の内部構造を示す平面図である。
【図６】トナーコンテナの斜視図である。
【図７】図６と視線方向を１８０度変えた、トナーコンテナの斜視図である。
【図８】トナーコンテナの側面図である。
【図９】トナーコンテナの側断面図である。
【図１０】トナーコンテナ内に配置される回転部材の斜視図である。
【図１１】回転部材の側面図であって、一部断面図を伴った図である。
【図１２】回転部材によるトナーの動作を説明するための、トナーコンテナの模式的な側断面図である。
【図１３】回転部材によるトナーの動作を説明するための、トナーコンテナ及び現像装置の模式的な水平方向の断面図である。
【図１４】フイルム部材の望ましい例を示す、回転部材の部分的な側面図である。
【図１５】回転部材の望ましい例を示す、回転部材の部分的な断面図である。
【発明を実施するための形態】
【００２７】
以下、図面に基づいて、本発明の実施形態につき詳細に説明する。図１は、本発明の一実施形態に係る画像形成装置１の内部構造を示す断面図である。ここでは、画像形成装置１としてモノクロプリンターを例示するが、画像形成装置は、複写機、ファクシミリ装置、或いは、これらの機能を備える複合機であってもよく、またカラー画像を形成する画像形成装置であっても良い。
【００２８】
画像形成装置１は、略直方体形状の筐体構造を有する本体ハウジング１０と、この本体ハウジング１０内に収容される給紙部２０、画像形成部３０、定着部４０及びトナーコンテナ５０（現像剤収容容器）とを含む。
【００２９】
本体ハウジング１０の前面側（図１の右側）には前カバー１１が、後面側には後カバー１２が各々備えられている。ユーザーは、前カバー１１を開放することで、トナー切れの際にトナーコンテナ５０を本体ハウジング１０の前面側から取り出すことができる。後カバー１２は、シートジャムやメンテナンスの際に開放されるカバーである。画像形成部３０及び定着部４０の各ユニットは、後カバー１２が開放されることで、本体ハウジング１０の後面側から取り出し可能となる。また、本体ハウジング１０の上面には、画像形成後のシートが排出される排紙部１３が備えられている。
【００３０】
給紙部２０は、画像形成処理が施されるシートを収容する給紙カセット２１を含む。この給紙カセット２１は、その一部が本体ハウジング１０の前面からさらに前方に突出している。給紙カセット２１には、前記シートの束が収容されるシート収容空間、前記シートの束を給紙のためにリフトアップするリフト板等が備えられている。給紙カセット２１の後端側の上部にはシート繰出部２１Ａが設けられている。このシート繰出部２１Ａには、給紙カセット２１内のシート束の最上層のシートを１枚ずつ繰り出すためのピックアップローラー（図略）が配置されている。
【００３１】
画像形成部３０は、給紙部２０から送り出されるシートにトナー画像を形成する画像形成処理を行う。画像形成部３０は、感光体ドラム３１（像担持体）と、この感光体ドラム３１の周囲に配置された、帯電装置３２、露光装置（図１には表れていない）、現像装置３３、転写ローラー３４及びクリーニング装置３５とを含む。
【００３２】
感光体ドラム３１は、その軸回りに回転し、その周面に静電潜像及びトナー像が形成される。感光体ドラム３１としては、アモルファスシリコン（ａ−Ｓｉ）系材料を用いた感光体ドラムを用いることができる。帯電装置３２は、感光体ドラム３１の表面を均一に帯電するものであって、感光体ドラム３１に当接する帯電ローラーを含む。露光装置は、レーザー光源とミラーやレンズ等の光学系機器とを有し、感光体ドラム３１の周面に、パーソナルコンピューター等の外部装置から与えられる画像データに基づいて変調された光を照射して、静電潜像を形成する。
【００３３】
現像装置３３は、感光体ドラム３１上の前記静電潜像を現像してトナー像を形成するために、感光体ドラム３１の周面にトナーを供給する。現像装置３３は、感光体ドラム３１に供給するトナーを担持する現像ローラー３３１と、現像ハウジング６０（図２〜図５参照）の内部で現像剤を攪拌しながら循環搬送する第１搬送スクリュー３３２及び第２搬送スクリュー３３３とを含む。この現像装置３３については、後記で詳述する。
【００３４】
転写ローラー３４は、感光体ドラム３１の周面に形成されたトナー像をシート上に転写させるためのローラーであって、感光体ドラム３１と転写ニップ部を形成している。この転写ローラー３４には、トナーと逆極性の転写バイアスが与えられる。クリーニング装置３５は、クリーニングローラー等を有し、トナー像転写後の感光体ドラム３１の周面を清掃する。
【００３５】
定着部４０は、転写されたトナー像をシート上に定着する定着処理を行う。定着部４０は、加熱源を内部に備えた定着ローラー４１と、この定着ローラー４１に対して圧接され、定着ローラー４１との間に定着ニップ部を形成する加圧ローラー４２とを含む。トナー像が転写されたシートが前記定着ニップ部に通紙されると、トナー像は、定着ローラー４１による加熱および加圧ローラー４２による押圧により、シート上に定着される。
【００３６】
トナーコンテナ５０は、現像装置３３に補給するトナー（現像剤）を貯留する。トナーコンテナ５０は、トナーの主な貯留箇所となるコンテナ本体５１（容器本体）と、コンテナ本体５１の一側面（図１では後面）の下部から突設された筒状部５２と、コンテナ本体５１の他の側面を覆う蓋部材５３と、コンテナ内部に収容されトナーを搬送する回転部材５４とを含む。トナーコンテナ５０内に貯留されたトナーは、回転部材５４が回転駆動されることによって、筒状部５２の先端下面に設けられたトナー排出口５２１から現像装置３３内に供給される。このトナーコンテナ５０については、図６〜図１１を参照して後記で詳述する。
【００３７】
本体ハウジング１０内には、シートを搬送するために、主搬送路２２Ｆ及び反転搬送路２２Ｂが備えられている。主搬送路２２Ｆは、給紙部２０のシート繰出部２１Ａから画像形成部３０及び定着部４０を経由して、本体ハウジング１０上面の排紙部１３に対向して設けられている排紙口１４まで延びている。反転搬送路２２Ｂは、シートに対して両面印刷を行う場合に、片面印刷されたシートを主搬送路２２Ｆにおける画像形成部３０の上流側に戻すための搬送路である。
【００３８】
主搬送路２２Ｆの、感光体ドラム３１と転写ローラー３４との転写ニップ部よりも上流側には、レジストローラー対２３が配置されている。シートは、レジストローラー対２３にて一旦停止され、スキュー矯正が行われた後、画像転写のための所定のタイミングで、前記転写ニップ部に送り出される。主搬送路２２Ｆ及び反転搬送路２２Ｂの適所には、シートを搬送するための搬送ローラーが複数配置されており、例えば排紙口１４の近傍には排紙ローラー対２４が配置されている。
【００３９】
反転搬送路２２Ｂは、反転ユニット２５の外側面と、本体ハウジング１０の後カバー１２の内面との間に形成されている。なお、反転ユニット２５の内側面には転写ローラー３４及びレジストローラー対２３の一方のローラーが搭載されている。後カバー１２及び反転ユニット２５は、それらの下端に設けられた支点部１２１の軸回りに各々回動可能である。反転搬送路２２Ｂにおいてシートジャムが発生した場合、後カバー１２が開放される。主搬送路２２Ｆでシートジャムが発生した場合、或いは感光体ドラム３１のユニットや現像装置３３が外部に取り出される場合には、後カバー１２に加えて反転ユニット２５も開放される。
【００４０】
続いて、図２〜図７を参照して、現像装置３３及びトナーコンテナ５０の構造、並びにこれらの配置関係について説明する。図２は、現像装置３３とトナーコンテナ５０との組み付け状態を示す平面図、図３はその斜視図、図４は、現像装置３３単体の斜視図、図５は、現像装置３３の内部構造を示す平面図、図６及び図７は、トナーコンテナ単体の斜視図をそれぞれ示している。
【００４１】
現像装置３３は、一方向（現像ローラー３３１の軸方向）に長尺の箱形形状を有する現像ハウジング６０を備える。現像ハウジング６０は、その長手方向に延びる開口部が形成され、該開口部から現像ローラー３３１の周面の一部が露呈している。本実施形態において現像ハウジング６０は、その長手方向が本体ハウジング１０の左右方向（第１方向）と一致するよう、本体ハウジング１０に組み付けられている。
【００４２】
現像ハウジング６０の左端付近の天板６０Ｔには、トナーコンテナ５０から供給されるトナーを当該ハウジング内に受け入れるためのトナー補給口６０Ｈが穿孔されている。このトナー補給口６０Ｈと、トナーコンテナ５０のトナー排出口５２１とが上下方向に重なるように、現像装置３３とトナーコンテナ５０とが組み付けられる。トナーコンテナ５０は、図２に矢印Ａで示すように、現像ハウジング６０の長手方向と直交する方向（前後方向／第２方向）において、現像装置３３に対して着脱される。トナーコンテナ５０は上面視で一方向に長いハウジング形状を備えるので、現像装置３３にトナーコンテナ５０が装着された状態では、上面視で略Ｌ字型の構造体を形成することになる（図２参照）。
【００４３】
天板６０Ｔの上面には、左右方向にスライド移動が可能な現像シャッター板６１が配置されている。現像シャッター板６１は、付勢バネ６２で常時左方向に付勢されている。付勢バネ６２はコイルバネであって、現像シャッター板６１の右端縁と、該現像シャッター板６１に隣接するリブとに各々設けられたバネ座６２１、６２２に各端部が取り付けられている。図４ではトナー補給口６０Ｈが開放されている状態を示しているが、トナーコンテナ５０が未装着の状態では、現像シャッター板６１は付勢バネ６２に付勢されて左方に位置し、トナー補給口６０Ｈを塞ぐ。
【００４４】
トナーコンテナ５０の筒状部５２の先端縁（他端部５２４）下部には、押圧板５２２が取り付けられている。また、筒状部５２の先端面には、回転部材５４に回転駆動力を入力するためのコンテナギア５４Ｇが露出して配置されている。現像ハウジング６０のトナー補給口６０Ｈの左奥部には、入力ギア６３１とカップリング６３２とを備えるギアホルダー６３が配置されている。カップリング６３２は、本体ハウジング１０に備えられた図略のモーターからの回転駆動力が与えられる。入力ギア６３１は、トナーコンテナ５０が現像装置３３に装着された状態でコンテナギア５４Ｇと歯合され、前記回転駆動力をコンテナギア５４Ｇに伝達する。
【００４５】
トナーコンテナ５０が現像装置３３に装着される際、トナー補給口６０Ｈに対してトナーコンテナ５０の筒状部５２が前方から後方に進入する。この際、トナーコンテナ５０の押圧板５２２が、トナー補給口６０Ｈを塞いでいる状態の現像シャッター板６１と干渉し、当該現像シャッター板６１を右方へ移動させる。具体的には、現像シャッター板６１の上面に突設されている斜行凸条６２３と押圧板５２２とが干渉し、付勢バネ６２の付勢力に抗して現像シャッター板６１が右方へ押し遣られる。トナーコンテナ５０の筒状部５２が所定位置まで進入すると、トナー補給口６０Ｈは完全に開放されると共に、入力ギア６３１にコンテナギア５４Ｇが歯合することになる。
【００４６】
図５を参照して、現像ハウジング６０は内部空間６００を備える。二成分現像方式の場合、この内部空間６００には、トナーとキャリアとからなる現像剤が充填される。キャリアは、内部空間６００においてトナーと攪拌混合されトナーを帯電させると共に、トナーを現像ローラー３３１まで搬送する。トナーは、逐次現像ローラー３３１に供給されて消費され、その消費分はトナーコンテナ５０から適宜供給される。
【００４７】
現像ハウジング６０の内部空間６００は、左右方向に延びる仕切り板６０１によって、左右方向に長尺の第１通路６０２と第２通路６０３とに区画されている。仕切り板６０１は、現像ハウジング６０の左右方向幅よりも短く、仕切り板６０１の右端及び左端には、第１通路６０２と第２通路６０３とをそれぞれ連通させる第１連通部６０４及び第２連通部６０５が備えられている。これにより、現像ハウジング６０の内部には、第１通路６０２、第１連通部６０４、第２通路６０３及び第２連通部６０５に至る循環経路が形成されている。
【００４８】
上述のトナー補給口６０Ｈは、第１通路６０２の左端付近の上方に配置されている。第１通路６０２には第１搬送スクリュー３３２が収容され、第２通路６０３には第２搬送スクリュー３３３が収容されている。第１、第２搬送スクリュー３３２、３３３は、それぞれシャフトと、このシャフトの周上にスパイラル状に突設された羽根部材とを含む。第１搬送スクリュー３３２は、シャフト回りに回転駆動されることで、図５の矢印ａ方向に現像剤を搬送する。一方、第２搬送スクリュー３３３は、シャフト回りに回転駆動されることで、矢印ｂ方向に現像剤を搬送する。
【００４９】
第１、第２搬送スクリュー３３２、３３３が回転駆動されることで、上述の循環経路に沿って現像剤が循環搬送される。トナー補給口６０Ｈから新たに補給されたトナーについて説明すると、当該トナーは第１通路６０２に落下して既存の現像剤と混合され、第１搬送スクリュー３３２により矢印ａ方向に搬送される。この際、トナーはキャリアと攪拌され、帯電される。次いでトナーは、第１通路６０２の下流端から第１連通部６０４を経て第２通路６０３に入り、第２搬送スクリュー３３３によって矢印ｂ方向に搬送される。この搬送の際、トナーは同様に帯電される一方で、一部が現像ローラー３３１の周面に供給される。そして、残部のトナーとキャリアとは、第２連通部６０５を経て、第１通路６０２の上流端に戻される。
【００５０】
続いて、図６〜図１１を参照して、トナーコンテナ５０の詳細構造について説明する。図６は、トナーコンテナ５０を筒状部５２側（図１では後方側）から見た斜視図、図７は、視線方向を１８０度変えて蓋部材５３側から見た斜視図、図８は、トナーコンテナ５０の側面図、図９はその側断面図、図１０は、トナーコンテナ５０内に配置される回転部材５４の斜視図、図１１は、一部断面図を伴った回転部材５４の側面図である。
【００５１】
既述の通り、トナーコンテナ５０は、コンテナ本体５１、筒状部５２、蓋部材５３（第４側壁）及び回転部材５４を含む。コンテナ本体５１は、トナーを貯留する空間を形成するために、断面半円形状の底壁５１１と、該底壁５１１の一端縁から上方に延びる第１側壁５１２と、前記底壁５１１の他端縁から上方に延び前記第１側壁５１２と対向する第２側壁５１３と、筒状部５２側の端縁部において第１側壁５１２及び第２側壁５１３を繋ぐ第３側壁５１４と、第１側壁５１２及び第２側壁５１３の上端縁同士を繋ぐ天壁５１５と、蓋部材５３と対向する側の端縁に形成された第１フランジ部５１６とを備えている。なお、コンテナ本体５１の第１フランジ部５１６の側は、側部開口面とされている。
【００５２】
コンテナ本体５１は、底壁５１１の部分が最も幅が狭く、この底壁５１１から上方に向かうに連れて、第１側壁５１２と第２側壁５１３との間隔が広くなる縦長の外観形状を備えている。第１側壁５１２及び第２側壁５１３は平板状の部材であり、これら第１側壁５１２及び第２側壁５１３は断面視において直線状の内面を備えている。
【００５３】
第３側壁５１４の上部には、トナーをコンテナ本体５１内に充填するための開口を塞ぐキャップ５１７が取り付けられている。第２側壁５１３には、当該トナーコンテナ５０の管理情報が記録された無線タグ５１８が取り付けられている。また、第１側壁５１２及び第２側壁５１３の上端部付近には、底壁５１１が延びる方向に平行な一対の溝部５１９が形成されている。この溝部５１９は、トナーコンテナ５０が本体ハウジング１０に装着される際に、本体ハウジング１０側の図略のガイド部材でガイドされる部分である。
【００５４】
筒状部５２は、第３側壁５１４から、底壁５１１に連なって突設された円筒状の部分である。筒状部５２の一端部５２３は、第３側壁５１４の下端部に連接され、コンテナ本体５１の内部空間と筒状部５２の内部空間とは連通状態とされている。筒状部５２の他端部５２４は筒状部５２の突出端であって、コンテナギア５４Ｇは他端部５２４から更に外方に突出する状態で配置されている。筒状部５２の底部５２５は、コンテナ本体５１の底壁５１１に面一とされており、これにより断面半円形状の樋状部分が、第１フランジ部５１６から他端部５２４に亘って形成されている。筒状部５２は、一端部５２３から他端部５２４に向けて、僅かに先細りのテーパ形状とされている。
【００５５】
上述の通り、筒状部５２にはトナー排出口５２１が設けられ、当該筒状部５２が現像装置３３に装着される。なお、トナー排出口５２１は、筒状部５２の底部５２５（下面）に配置された落下口である。前記装着の際に現像ハウジング６０の一部と係合する係合部５２６が、底部５２５に配置されている。コンテナ本体５１内に貯留されているトナーは、後述する回転部材５４の回転駆動により筒状部５２に送り出され、トナー排出口５２１から吐出される。また、筒状部５２は、回転部材５４（第２搬送部材５６）の径方向における最突出部分の回転軌跡に対応した断面円形状の内壁面を備えている。
【００５６】
図９に示すように、トナー排出口５２１は、底部５２５の、他端部５２４の近傍に設けられている。トナー排出口５２１の下面には、筒状部５２の延びる方向に沿ってスライド移動するシャッター板５２７が取り付けられている。シャッター板５２７は、図略の付勢部材により常時トナー排出口５２１を塞ぐよう、他端部５２４の方向に付勢されている。一方、筒状部５２が現像装置３３に装着される際、シャッター板５２７は現像ハウジング６０の一部と干渉して、一端部５２３の方向にスライド移動する。図９は、シャッター板５２７が後退してトナー排出口５２１を開放している状態を示している。なお、シャッター板５２７と上述の係合部５２６とは一体の部材である。
【００５７】
蓋部材５３は、コンテナ本体５１の側部開口面を覆うもので、凹形状を備えた蓋本体部５３１と、蓋本体部５３１の周縁に設けられ第１フランジ部５１６と突き合わされる第２フランジ部５３２とを備える。蓋本体部５３１は、下方から上方へ膨らむように傾斜した傾斜面と、その傾斜面の上端に連なる垂直面とを備える。蓋本体部５３１の前記垂直面は、第２フランジ部５３２から相当突出した部分となっており、ユーザーは当該部分を摘んで、トナーコンテナ５０の本体ハウジング１０に対する着脱操作を行うことができる。蓋本体部５３１の内面下端には、後述する回転部材５４の回転軸の第１端部５４２を回転自在に支持する軸支部５３３が設けられている。軸支部５３３に第１端部５４２が挿入された状態で、第２フランジ部５３２は第１フランジ部５１６に溶着される。
【００５８】
回転部材５４は、コンテナ本体５１の底壁５１１から筒状部５２の上に亘って配置され、軸回りに回転駆動されることによりトナーを搬送する部材である。図９〜図１１に示すように、回転部材５４は、回転軸５４１と、この回転軸５４１と一体回転する第１搬送部材５５、第２搬送部材５６及び一対の分散部材５７とを備えている。
【００５９】
回転軸５４１は、底壁５１１の延びる方向に延在するように配置され、その両端に第１端部５４２及び第２端部５４３を備えている。第１端部５４２は、蓋部材５３の軸支部５３３で回転自在に支持されている。第２端部５４３には、筒状保持片５４４（保持片）が一体的に取り付けられている。この筒状保持片５４４に、コンテナギア５４Ｇの胴部５４５が嵌め入れられることで、コンテナギア５４Ｇと回転軸５４１とが一体化されている。胴部５４５は、筒状部５２の他端部５２４で回転自在に支持されている。
【００６０】
また、筒状保持片５４４には、トナー排出口５２１（落下口）にトナーを送り出す可撓性のフイルム部材５４６（可撓性押圧部材）が取り付けられている。フイルム部材５４６は、矩形状の薄いＰＥＴフイルムであり、回転軸５４１の軸方向と直交する方向に突出して、筒状保持片５４４の周面に取り付けられている。フイルム部材５４６は、回転軸５４１の回転時に周回し、筒状部５２の他端部５２４付近に存在するトナーを流動化させ、トナー排出口５２１に送り出す。
【００６１】
第１搬送部材５５は、回転軸５４１と一体で、回転軸５４１の周面にスパイラル状に突設された搬送部材である。第２搬送部材５６は、回転軸５４１の外周に、回転軸５４１及び第１搬送部材５５との間にギャップを置いて配置された中空のスパイラル状搬送部材である。つまり、第２搬送部材５６は、回転軸５４１の周面上であって、第１搬送部材５５よりも径方向外側に配置されている。一対の分散部材５７は、回転軸５４１と平行に配置される棒状の部材であって、第２搬送部材５６の側部をそれぞれ連結する部材である。一の分散部材５７と他の分散部材５７とは、回転軸５４１の周方向に１８０度の間隔をおいて配置されている。
【００６２】
換言すると、第２搬送部材５６は複数の半円形のアーチ状搬送片からなり、一対の分散部材５７によりこれらアーチ状搬送片が一体化され、その結果として、軸心付近に中空部を備えたスパイラル状の第２搬送部材５６が形成されている。前記第２搬送部材５６の中空部の内径は、第１搬送部材５５のスパイラル外径よりも大きい。そして、前記中空部の中に、第１搬送部材５５を周面に備えた回転軸５４１が同心状に挿通された態様が、本実施形態の回転部材５４の構成である。なお、第１搬送部材５５のスパイラル方向と、第２搬送部材５６のスパイラル方向は逆方向である。
【００６３】
一対の分散部材５７は、その端部５７１において連結ピース５７２によって連結されている。連結ピース５７２は、その中央部において、回転軸５４１の第１端部５４２付近に固着されている。図１０には表れていないが、第２端部５４３の側にも同様な連結ピースが配置されている。すなわち、回転軸５４１と、第２搬送部材５６及び分散部材５７とは連結ピース５７２によって一体化されており、回転軸５４１が回転すると、第２搬送部材５６及び分散部材５７も一体回転する。
【００６４】
回転部材５４は、コンテナ本体５１から筒状部５２に跨って架設されており、コンテナ本体５１内に位置する第１部分５４Ａと、筒状部５２内に位置する第２部分５４Ｂとを含む。第１搬送部材５５及び第２搬送部材５６は、回転軸５４１の軸方向のほぼ全長に亘って形成されている。つまり、第１部分５４Ａ及び第２部分５４Ｂの双方に、第１搬送部材５５及び第２搬送部材５６は存在している。同様に、分散部材５７も、第１部分５４Ａ及び第２部分５４Ｂの双方に跨って配置されている。
【００６５】
第１搬送部材５５のスパイラルの外径は、回転軸５４１の軸方向全体に亘って一定である。これに対し、第２搬送部材５６のスパイラルの外径は、図１１に示すように、回転軸５４１の第１端部５４２から第２端部５４３に向かうにつれて縮径されている。このようなスパイラル外径の縮径は、第２搬送部材５６のスパイラル片（アーチ状搬送片）の径方向の肉厚を変化させることで達成されている。一方、第２搬送部材５６のスパイラルの内径は、回転軸５４１の軸方向全長に亘って一定である。
【００６６】
回転軸５４１の第１端部５４２に近い部分Ｐ１において、第２搬送部材５６のスパイラル片の径方向肉厚（分散部材５７からの突出高さ）は、囲み円の中で示しているように、最も厚いＴ１である。これに対し、回転軸５４１の軸方向中央付近の部分Ｐ２において、前記スパイラル片の径方向肉厚は、Ｔ１よりも薄いＴ２である。さらに、第２端部５４３に近い部分Ｐ３において、前記スパイラル片の径方向肉厚は、Ｔ２よりもさらに薄いＴ３である。つまり、Ｔ１＞Ｔ２＞Ｔ３の関係とされ、これにより各スパイラル片の包絡線Ｌは、水平方向Ｈに延びる分散部材５７に対して角度θだけ傾斜している。換言すると、第２搬送部材５６のスパイラルは、角度θで先細りとなるテーパ形状を有している。上述の筒状部５２の先細りテーパ形状もまた、この角度θの先細りテーパである。
【００６７】
コンテナギア５４Ｇに、回転軸５４１を所定の回転方向に回転させる回転駆動力が与えられると、第１搬送部材５５及び第２搬送部材５６は、それぞれのスパイラル方向に応じてトナーの搬送力を発生する。第２搬送部材５６は、コンテナ本体５１側から筒状部５２（トナー排出口５２１）側に向かう方向（以下、第２搬送方向）に、トナーを搬送する。つまり、回転軸５４１の第１端部５４２側から第２端部５４３側に向けてトナーを搬送する。これに対し、第１搬送部材５５は、トナーを筒状部５２側からコンテナ本体５１側に戻す方向（以下、第１搬送方向）に、トナーを搬送する。つまり、回転軸５４１の第２端部５４３側から第１端部５４２側に向けてトナーを搬送する。
【００６８】
一方、分散部材５７は、第１搬送部材５５及び第２搬送部材５６によって搬送されるトナーを、回転軸５４１の径方向外側へ分散させる役目を果たす。すなわち、分散部材５７は、第１搬送部材５５又は第２搬送部材５６のスパイラル片によって推進力を与えられたトナーの周囲に存在するトナーを、径方向外側へ分散する。これにより、トナーの前記第１搬送方向又は第２搬送方向への移動が促進される。
【００６９】
このように、本実施形態の回転部材５４は、径方向内側（第１搬送部材５５）と外側（第２搬送部材５６）とで、互いに異なる方向にトナーを搬送する能力を有する。当該回転部材５４によるトナー搬送動作を、図１２、図１３に基づいて説明する。図１２は、回転部材によるトナーの動作を説明するための、トナーコンテナの模式的な側断面図、図１３は、トナーコンテナ及び現像装置の模式的な水平方向の断面図である。
【００７０】
第２搬送部材５６は、回転駆動されることで、トナーに第２搬送方向へ向かう押圧力を与える。第２搬送部材５６によって筒状部５２に向かわされるトナーは、図中に矢印Ｃ１で示すように、専ら回転部材の外周部付近を移動する。これは筒状部５２内でも同様であり、トナーは、筒状部５２の内周壁に近い部分において、他端部５２４に向かうよう移動する。この際、分散部材５７が、同時に第２搬送部材５６の近傍のトナーを拡散させるので、トナーがスムースに第２搬送方向へ進行する。
【００７１】
第２搬送方向へ搬送されるトナーは、やがて筒状部５２の他端部５２４に到達する。到達したトナーの一部は、フイルム部材５４６で押圧される形で、トナー排出口５２１から現像ハウジング６０内に落下する。そして、第１、第２搬送スクリュー３３２、３３３によって、現像ハウジング６０内を循環搬送されることになる。
【００７２】
一方、トナー排出口５２１から吐出されなかったトナーは、第１搬送部材５５の駆動によって、図中に矢印Ｃ２で示すように、専ら筒状部５２の中心軸に近い部分において、第１搬送方向に逆搬送される。逆搬送されるトナーは、やがて筒状部５２とコンテナ本体５１との境界を通過し、分散部材５７による分散効果も相俟って、コンテナ本体５１に戻される。
【００７３】
このように、本実施形態のトナーコンテナ５０においては、第２搬送部材５６によって一旦筒状部５２に送り出されたトナーが、第１搬送部材５５によってコンテナ本体５１に戻される循環搬送機能が具備されている。このため、筒状部５２に先端にトナー排出口５２１が設けられた構造のトナーコンテナ５０であっても、トナー排出口５２１の近傍においてトナーが凝集することを抑止できる。
【００７４】
すなわち、筒状部５２は、回転部材５４の径方向における最突出部分である第２搬送部材５６の回転軌跡に対応した断面円形の内部空間、つまり第２搬送部材５６のスパイラル外径よりやや大きい内径を有する程度の狭小な筒状内部空間を備える部位である。このような筒状部５２を有するトナーコンテナ５０において、回転部材５４に、第２搬送方向にトナーを搬送する機能のみが備えられている場合、トナーの送り量に対して吐出量が少ないと、やがてトナーは行き場を失い筒状部５２内で押し固められ、ついには凝集化する。そうすると、トナー排出口５２１がトナーの凝集体で塞がれ、トナーが吐出できなくなる不具合が生じる。これに対して本実施形態のトナーコンテナ５０では、第１搬送部材５５が筒状部５２内において第１搬送方向へ逆方向送りする搬送機能を備えるので、トナーが押し固められることはない。すなわち、筒状部５２においては、径方向外側にはトナーの逃げ場が無いので、トナーは筒状部５２の軸心方向に向かおうとする。その軸心部分には第１搬送部材５５が配置され、トナーを第１搬送方向に搬送する。従って、トナーが凝集化する前に、トナーを筒状部５２からコンテナ本体５１へ効率良く戻すことができる。
【００７５】
特に、本実施形態の回転部材５４においては、第２搬送部材５６のスパイラルの外径が第２搬送方向に向かうにつれて縮径されており、また筒状部５２の内径も先端（他端部５２４）に向かうにつれて縮径されているので、これらのテーパ形状に沿ってトナーを筒状部５２の先端方向へスムースに向かわせることができる。一方、第２搬送部材５６のスパイラルの内径は、回転軸５４１の軸方向全体に亘って略一定とされている。このため、内部に位置する第１搬送部材５５による第１搬送方向へのトナー搬送を阻害することはない。従って、第１搬送部材５５によって、安定的にトナーを筒状部５２側からコンテナ本体５１側へ戻すことができる。
【００７６】
本実施形態によれば、コンテナ本体５１と、このコンテナ本体５１から突設されトナー排出口５２１を有する筒状部５２とを含むコンテナ形状を有するトナーコンテナ５０において、筒状部５２内でトナーが凝集することを抑止できる。従って、コンテナ本体５１内に貯留されたトナーを残存させることなく現像装置３３に供給できるトナーコンテナ５０を提供することができる。
【００７７】
以上、本発明の実施形態に係るトナーコンテナ５０及び画像形成装置１について説明したが、本発明はこれに限定されるものではなく、例えば次のような変形実施形態を取ることができる。
【００７８】
（１）上記実施形態では、現像剤収容容器の具体例としてトナーコンテナ５０を例示した。現像剤収容容器は、例えばトナー貯留部と現像ローラー等とが一体化された現像ユニットであっても、トナーコンテナと現像装置との間に介在される中間ホッパー等であっても良い。
【００７９】
（２）上記実施形態では、回転部材５４の回転軸５４１の端部に、矩形状のフイルム部材５４６を取り付ける例を示した。これに代えて、図１４に示すような、台形形状のフイルム部材５４６Ａを取り付けるようにしても良い。フイルム部材５４６Ａは、筒状保持片５４４に取り付けられる基端部５４６Ｂと、該基端部５４６Ｂと反対側の自由端部５４６Ｔとを備える。自由端部５４６Ｔの回転軸５４１の軸方向の長さは、基端部５４６Ｂよりも長く、自由端部５４６Ｔの一部（延長部５４６Ｅ）が、回転軸５４１の第２端部５４３上に位置している。
【００８０】
回転軸５４１の第２端部５４３の直近まで、第１搬送部材５５及び第２搬送部材５６のスパイラルを形成することは、実際上は困難である。従って、第２端部５４３の近傍においては、トナーに押圧力を与える部材が実質的に存在せず、トナーがさほど流動しない状態となりがちである。この場合、図９、図１０に示したような矩形状のフイルム部材５４６に代えて、延長部５４６Ｅを備えるフイルム部材５４６Ａを採用することで、第２端部５４３の近傍においてトナーをより流動化させることができる。すなわち、回転軸５４１の回転に伴って、延長部５４６Ｅが第２端部５４３の近傍のトナーを攪拌し、トナーの流動を促進する。このことは、トナー排出口５２１からのトナーの吐出、並びに第１搬送部材５５による第１搬送方向へのトナー搬送を円滑化させる。
【００８１】
（３）回転部材５４の望ましい例について、図１５に基づいて説明する。図１５は、回転部材５４の部分的な断面図である。ここでは、分散部材５７の厚みと、第１搬送部材のスパイラルの最外周と分散部材５７の径方向内面との距離との関係に関し、好ましい実施形態を例示する。分散部材５７が、回転軸５４１の径方向に厚みＤ１を有しているものとする。一方、第１搬送部材５５のスパイラルの最外周部５５Ａと分散部材５７の径方向内面５７Ａとの間を距離Ｄ２とする。
【００８２】
この場合、距離Ｄ２は、厚みＤ１よりも大きいことが望ましい。距離Ｄ２を厚みＤ１よりも大きくすることで、第１搬送部材５５のスパイラルの最外周部５５Ａと分散部材の径方向内面５７Ａとの間に十分な空間が存在することとなる。これにより、第１搬送部材５５によるトナーの搬送領域が、第２搬送部材５６のスパイラルの内部に確保される。従って、第１搬送部材５５によるトナーの第１搬送方向への搬送を確実に行わせることができる。
【符号の説明】
【００８３】
１  画像形成装置
１０  本体ハウジング
３１  感光体ドラム（像担持体）
３３  現像装置
３３１  現像ローラー
５０  トナーコンテナ（現像剤収容容器）
５１  コンテナ本体（容器本体）
５１１  底壁
５１２  第１側壁
５１３  第２側壁
５１４  第３側壁
５２  筒状部
５２１  トナー排出口（落下口）
５３  蓋部材（第４壁）
５４  回転部材
５４１  回転軸
５４６  フイルム部材（可撓性押圧部材）
５５  第１搬送部材
５６  第２搬送部材
５７  分散部材
【図１】
0005377564.tif 000002
【図２】
0005377564.tif 000003
【図３】
0005377564.tif 000004
【図４】
0005377564.tif 000005
【図５】
0005377564.tif 000006
【図６】
0005377564.tif 000007
【図７】
0005377564.tif 000008
【図８】
0005377564.tif 000009
【図９】
0005377564.tif 000010
【図１０】
0005377564.tif 000011
【図１１】
0005377564.tif 000012
【図１２】
0005377564.tif 000013
【図１３】
0005377564.tif 000014
【図１４】
0005377564.tif 000015
【図１５】
0005377564.tif 000016